(57)【要約】【課題】  視覚に訴える演出にインパクトを与え、遊技者の興味を惹く遊技機を提供すること。【解決手段】  発光表示部33は、発光装置54を内装した筒体51と、この筒体51の前面に取り付けられ前記光源を遮蔽可能であるとともに通孔53を有する非透光部材からなる前面板52とを少なくとも有し、前記通孔53は、前記光源の光線が遊技者の頭部付近を照射可能となる位置方向に形成されている。    【選択図】    図１
2005152484.tif 000002
【特許請求の範囲】
【請求項１】
筐体の前面に、遊技の演出に用いる発光表示部を備えた遊技機において、
前記発光表示部は、光源を内装した筒体と、この筒体の前面に取り付けられ前記光源を遮蔽可能であるとともに通孔を有する非透光部材からなる前面板とを少なくとも有し、
前記通孔は、前記光源の光線が遊技者の頭部付近を照射可能となる方向に形成されていることを特徴とする遊技機。
【請求項２】
前記筒体の奥部に、音声出力装置を配置したことを特徴とする請求項１記載の遊技機。
【発明の詳細な説明】
【技術分野】
【０００１】
この発明は、ランプなど発光表示部の点滅により、当選の報知その他の演出を行う遊技機に関するものである。
【背景技術】
【０００２】
スロットマシンなどの遊技機においては、遊技機の前面にランプやスピーカなどが配置されており、ランプを点滅させたりスピーカから音声を出力させて、種々の演出を行わせるように形成されている。従来の遊技機では、この種の演出用ランプ等の光源は、色つきの透光部材やレンズ付きのカバーなどに覆われていて、光が拡散するように形成されていた（特許文献１参照）。
【特許文献１】特開２００２−３３６４３２号公報（図４）
【発明の開示】
【発明が解決しようとする課題】
【０００３】
しかし、上記したような発光表示装置のみでは、演出が単調になりがちであるという問題点があった。そこで、各請求項記載の発明は、上記した問題点を解決すべくなされたものであり、その目的とするところは、視覚に訴える演出にインパクトを与え、遊技者の興味を惹く遊技機を提供することにある。
【課題を解決するための手段】
【０００４】
請求項に記載された発明は、上記した各目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、筐体(1)の前面に、遊技の演出に用いる発光表示部(33)を備えた遊技機において、前記発光表示部(33)は、光源（発光装置(54)）を内装した筒体(51)と、この筒体(51)の前面に取り付けられ前記光源を遮蔽可能であるとともに通孔(53)を有する非透光部材からなる前面板(52)とを少なくとも有している。
【０００５】
本発明は、パチンコ機やスロットマシンなど、遊技機の正面側に、発光体を発光させて視覚的な演出を行う表示部を有する遊技機に係る。ここで、「筐体(1)の前面」とは、遊技者と対峙する正面であって、筐体(1)そのものの前面のほか、筐体(1)に取り付けられた前扉(3)の前面も含む。また、発光表示部(33)は、発光表示を行うための装置（発光表示装置(50)）を備えているが、それ以外の表示装置、例えば画像表示装置などと共通する機能を備えていても構わない。光源は、ランプやＬＥＤを含む。
前記前面板(52)は、筒体(51)に内装された光源を遊技機の正面側から遮蔽しつつ、光源が発光したときには、その光線が遊技者の視界に入るようにするためのものである。前面板(52)は、非透光部材、例えば金属や遮光性のプラスチックなどで形成されており、前記通孔(53)は、この前面板(52)に単数設けられていても、複数設けられていても構わない。ただし、光源が正面側から見えないように、例えば直径１．６ミリ程度の小さな孔とするのが望ましい。
【０００６】
そして、前記通孔(53)は、前記光源の光線が遊技者の頭部付近を照射可能となる方向に形成されていることを特徴とする。ここで、「照射可能となる方向に形成」とは、前面板(52)が遊技者の頭部付近に向けて設けられていることにより通孔(53)も必然的に遊技者の頭部付近に向く場合と、前面板(52)は必ずしも遊技者の頭部付近に向けて設けられてはいないが、通孔(53)が遊技者の頭部付近に方向付けて形成されている場合の双方を含む趣旨である。なお、「遊技者の頭部付近」とは、遊技機の正面に座った遊技者の視覚に入る程度の範囲を含む。
（作用）
本発明によれば、発光表示部(33)は、光源の非発光時には、穴のあいた前面板(52)の表面しか見えないが、光源を発光させることにより、通孔(53)からその光線が直接的に、すなわちカバー部材やレンズを通さずに遊技者の視界に入り、遊技者に強烈な印象を与えることができる。この発光表示を、当選の告知など様々な報知演出に用いることにより、発光体による点灯演出のマンネリ化を防ぐことができ、多彩な演出を行うことが可能になる。
【０００７】
（請求項２）
（特徴点）
請求項２記載の発明は、上記した請求項１記載の発明の特徴点に加え、次の点を特徴とする。
すなわち、請求項２記載の発明は、前記筒体(51)の奥部に、音声出力装置を配置したことを特徴とする。
ここで、「筒体(51)の奥部」とは、前面板(52)の対向側であって、遊技者から見て筒体(51)の背面側となる位置である。
【０００８】
本発明は、筒体(51)を音声出力装置（スピーカ装置(60)）のダクトとして機能させると共に、前面板(52)をスピーカカバーとして機能させるものである。従って、通孔(53)は複数設けるのが好ましい。
本発明によれば、発光表示部(33)の発光表示演出と、音声出力装置の音声演出とを、同一の表示部で行うことができ、より多彩な演出を行うことが可能となる。
【発明の効果】
【０００９】
本発明は、以上のように構成されているので、以下に記載されるような効果を奏する。
すなわち、請求項１記載の発明によれば、視覚に訴える演出にインパクトを与え、遊技者の興味を惹く遊技機を提供することができ、さらに請求項２記載の発明によれば、発光表示演出と音声演出とを同一の表示部で行うことができ、より多彩な演出を行うことができる。
【発明を実施するための最良の形態】
【００１０】
本発明を実施するための最良の形態を、遊技機としてスロットマシンを例に、図面に基づき説明する。
（図面の説明）
図１乃至図７は、本発明の実施の形態を示すものである。
図１は発光表示部の縦断面図、図２及び図３はスロットマシンの斜視図、図４は前扉の拡大斜視図である。図５及び図６は発光表示の模式図であり、図７は前面板の拡大断面図である。
（スロットマシンＳ）
スロットマシンＳは、図２及び図３に示すように、前面側に開口する箱形の筐体１と、この筐体１の開口を塞ぐ前扉３から構成されている。そして、この前扉３は、筐体１にヒンジ10を介して開塞自在に支持されている。
【００１１】
（筐体１）
筐体１は、二枚の側板及び天板、底板、裏板からなる箱体であり、筐体１の内部には、図３に示すように、リールユニット２、電源ユニット４、ホッパーユニット５、制御装置６が設置固定されている。
ここで、リールユニット２は、周囲に複数の図柄を表示した３個の回転リール20と、特に図示しないが、各回転リール20を回転させるための駆動モータを有している。電源ユニット４は、特に図示しないが電源装置が内装されていると共に、ホール管理者が種々の設定を行うためのスイッチ等を有している。ホッパーユニット５は、遊技メダルを貯留すると共に、入賞時にはメダルを払い出すためのものである。
【００１２】
制御装置６は、遊技及びスロットマシンＳの作動を制御するための主基板と、各種演出を行うための副基板を有している。主基板及び副基板は、特に図示しないが、ＣＰＵを中心に構成され、ＲＯＭ、ＲＡＭ、Ｉ／Ｏ等を備えており、ＣＰＵがＲＯＭに記憶されたプログラムを読み込むことで、当選役を決定する抽選を行ったり、スタートスイッチ43及びストップスイッチ44の操作による回転リール20の回転及び停止を制御する。また、前記副基板は、例えば入賞の報知や当選の告知などの演出制御機能を有しており、後述する発光表示装置50の作動を制御する。
（前扉３）
前扉３は、筐体１の側板に回転自在かつロック可能に形成されている板状の扉であり、閉めるとスロットマシンＳの正面構造を形成するものである。具体的には、図２に示すように、前記回転リール20の図柄を正面側から見ることができる図柄表示窓31を有し、図柄表示窓31の上側には発光表示部33及び飾り部34を設けてある。なお、この飾り部34は、透光部材の内部にランプ等を配置して、ランプの点滅によりに入賞等の報知を行う演出用の表示部として形成してもよいものである。前記発光表示部33の内部には、発光表示装置50が内装されているが、この詳細については後述する。
【００１３】
ここで、前記図柄表示窓31の表面には、図柄の配列を示す複数の入賞ライン31Aが表示されており、所定の入賞ライン31A上に所定の図柄が揃うように回転リール20を停止させると入賞となり、メダルの払い出し等が行われる。どの入賞ライン31Aが入賞するために有効な入賞ラインであるかは、メダルの投入枚数により変化するようになっている。
また、前記図柄表示窓31の上方には、液晶表示装置などから成る演出表示部32が設けられており、図柄表示窓31の下方には、クレジット数や払い出しメダル数など種々の表示を行うための数値表示部が設けられている。
そして、前扉３の中央部は、スロットマシンＳを作動させるための操作部40となっており、下部には、メダルを払い出すためのメダル排出口36及びメダル皿37が設けられている。さらに、操作部40とメダル皿37の間には、扉枠30に嵌め込まれた下パネル35が設けられている。
【００１４】
ここで、操作部40としては、正面左側にベットスイッチ41、その正面右側にメダル投入口42、正面側にはスタートスイッチ43及びストップスイッチ44が設けられている。スタートスイッチ43及びストップスイッチ44は、回転リール20の回転を開始及び停止させるためのものである。ベットスイッチ41は、貯留メダルをメダル投入に代えるためのものである。
さらに、図３に示すように、前扉３の裏面側には、前記メダル投入口42（図２参照）から投入されたメダルを誘導しながらメダルの真贋を判断するためのメダルセレクター38が設けられている。また、前記発光表示部33の裏側には、スピーカ装置60が設けられている。
【００１５】
（スロットマシンＳの作動）
以上のような構成を有するスロットマシンＳは、メダル投入口42へのメダル投入又はベットスイッチ41の操作によりスタートスイッチ43の操作が可能となる。そして、スタートスイッチ43の操作を契機に、制御装置６は当選役の抽選を行い、全ての回転リール20を一斉に回転開始させる。それから、各回転リール20に対応するストップスイッチ44の操作により、各々の回転リール20を停止させる停止制御が行われ、当選抽選の結果に基づいて図柄の引き込み、蹴飛ばしの処理がなされる。すなわち、当選抽選の結果が所定の当選役に当選している場合（内部当たり）には、ストップスイッチ44の操作により当該当選図柄が入賞有効ライン上に入賞の態様に極力停止するよう引き込み制御を行い、当選抽選の結果がハズレの場合には、いかなる入賞態様も有効入賞ライン上に揃わないように、図柄の蹴飛ばし制御を行う。ストップスイッチ44の操作で、入賞有効ライン上に当選図柄を揃えることができた場合には、入賞となり、メダルの払い出しや、ボーナスゲームなど有利な遊技への移行が行われる。
【００１６】
（発光表示装置50）
ここで、発光表示装置50について詳述する。
発光表示装置50は、図１に示すように、前扉３の扉枠30に裏面側から取り付けられる円筒又は角筒状の筒体51と、この筒体51の前方開口51Aを正面側から塞ぐ前面板52と、前記筒体51の空間部55に配置された発光装置54を有している。
筒体51は、前方開口51Aの下側が、上側よりも短く形成されており、この前方開口51Aに前面板52を嵌め込むと、板正面が下側に傾斜するようになっている。前面板52は、非透光性の合成樹脂により形成された若干厚みを有する板材であり、図１及び図４及び図７（Ａ）に示すように、多数の通孔53が穿設されている。この通孔53は、例えば直径１．６ミリ程度の小孔であり、前面板52のほぼ全面に設けられている。このように、小孔を多数形成することにより、後述する発光装置54の光線やスピーカ装置60からの音声を扉外側に出力可能である。なお、ゴト行為を防止するという観点から、孔はできるだけ小さい方がよい。また、前面板52は合成樹脂により形成されているので、ある程度の厚みを持たせて形成可能なのであり、直径の小さい通孔53を全体的に設ける加工も容易に行えるのである。
【００１７】
そして、筒体51の内部空間55には、光源である発光装置54が設置されている。発光装置54は、図１に示すように、空間55の略中央部に設けられたランプやＬＥＤなどであり、光源は図示したように一つに限られず、複数の光源を設けてもよい。発光装置54を点灯させると、その光線は前記前面板52の通孔53から扉外側に漏れるようになっている。
さらに、筒体51は、後方開口51Bがスピーカ装置60のスピーカコーンの正面側に位置するように設置され、スピーカ装置60から出力される音声を前扉３の正面側に導くダクトの役割も果たしている。すなわち、スピーカ音が、筒体51の空間55を通って前面板52の通孔53から遊技者側に流れるようになっているものである。
【００１８】
上記構成を有する発光表示装置50を、図４及び図５に示すように、前面板52の正面側を遊技者の頭部位置に向けて前扉３の上方に左右一個ずつ配置する。このように配置することにより、通孔53は遊技者の視界に発光装置54の光を直接通過させることとなる。この光線は、レンズや透光部材を通過したものに比べて、遊技者の視覚を刺激するものであり、僅かな点滅であっても容易に遊技者の注意を喚起することができるものである。また、前面板52は非透光性で中が透けて見えず、通孔53は小孔であるため、正面側からは発光表示部33の奥部に発光装置54があることは一見しては分からないところ、発光装置54を発光させれば、通孔53を通して光が見えるので、意外な場所が光ったという点においても、遊技者にインパクトを与えることができる。
【００１９】
ところで、前面板52は、在る程度の厚みを有しているので、通孔53の一つ一つに導光作用を持たせることができる。この性質を生かして、通孔53を前面板52の表面と角度をつけて形成することにより、前面板52を遊技者に向けて形成しなくとも、発光装置54の発光が遊技者の視界に入るように形成することもできるものである。例えば、図７（Ｂ）に示すように、前面板52そのものは遊技者に対してほぼ平行に取り付けられるようにし、通孔53を遊技者方向に向けて斜めに形成することにより、図７（Ａ）に示すような直孔を有する前面板52を斜めに取り付けたのと同様の効果を得られる。なお、この場合、発光装置54は、発光したときの光線が通孔53に遮られない位置、例えば筒体51の空間55の上部側に設けるのが好ましい。
【００２０】
上記発光表示装置50は、遊技に付随する演出に用いることができる。例えば、当選抽選手段による抽選結果が所定の当選役に当選している場合に、その当選の事実を遊技者に知らしめるため、遊技中の所定時に発光表示装置50を発光させたり、回転リール20の回転中に所定のタイミングで発光表示装置50を発光させて、ストップスイッチ44の好適な操作タイミングを報知したりすることができる。あるいは、入賞や、特定の遊技期間に突入した場合に、発光表示装置50を発光させて演出表示部32による演出と組み合わせた演出を行わせることもできる。前述したように、この発光表示は、小孔を通して視界に直接届く刺激性の高いものであるため、カバー付きのランプ等の発光を用いたものとは異なる趣の演出となる。さらに、かかる発光表示と合わせて、スピーカ装置60からの音声出力演出を行えば、光と音声とが同じ方向から遊技者に向かって表示され、これらの組み合わせによる多彩な報知態様を作り出すことができる。
【００２１】
このように、本発明の発光表示装置50を用いた遊技機では、単調になりがちな発光表示演出を遊技者にインパクトを与えるものとすることができ、演出効果がより高められるとともに、よりバラエティーに富んだ報知や、遊技者を惹きつける効果の高い演出を行うことができるものである。
なお、本発明は、スロットマシン以外の遊技機にも応用できる。
【図面の簡単な説明】
【００２２】
【図１】本発明の実施の形態であって、前扉上部の縦断面図である。
【図２】本発明の実施の形態であって、スロットマシンの正面斜視図である。
【図３】本発明の実施の形態であって、前扉を開いたスロットマシンの正面斜視図である。
【図４】本発明の実施の形態であって、前扉の拡大斜視図である。
【図５】本発明の実施の形態であって、側面から見た発光表示の概念図である。
【図６】本発明の実施の形態であって、平面から見た発光表示の概念図である。
【図７】本発明の実施の形態であって、前面板の拡大断面図である。
【符号の説明】
【００２３】
Ｓ  スロットマシン
１  筐体                            ２  リールユニット
３  前扉                            ４  電源ユニット
５  ホッパーユニット                ６  制御装置
10  ヒンジ                          20  回転リール
30  扉枠                            31  図柄表示窓
32  演出表示部                      33  発光表示部
34  飾り部                          35  下パネル
36  メダル排出口                    37  メダル皿
38  メダルセレクター
40  操作部                          41  ベットスイッチ
42  メダル投入口                    43  スタートスイッチ
44  ストップスイッチ
50  発光表示装置                    51  筒体
52  前面板                          53  通孔
54  発光装置（光源）                55  空間
60  スピーカ装置
【図１】
2005152484.tif 000003
【図２】
2005152484.tif 000004
【図３】
2005152484.tif 000005
【図４】
2005152484.tif 000006
【図５】
2005152484.tif 000007
【図６】
2005152484.tif 000008
【図７】
2005152484.tif 000009